(57)【要約】 【課題】  既存の回路構成を大きく変えることなく、充電池の電圧低下による回線切断に見せかけて回線を切断することができる電話装置を提供する。【解決手段】  子機中央制御回路２１は、迷惑キー２８が操作されたことを子機キー入力２３から知らされると、通話中の回線の切断を指示するための切断指示情報を、子機無線送受信回路２２によって親機１０に送信する。親機中央制御回路１１は、親機無線送受信回路１２によって子機２０から切断指示情報を受信すると、バッテリの電圧が予め定める限界電圧値以下になったために回線を切断することを予告するための予告情報、たとえば「子機の電池切れ」による回線切断する旨の音声あるいは警告音を、回線制御回路１５によって回線を介して通話中の相手先に送信した後、通話中の回線を切断する。【選択図】      図１
2007281624.tif 000002
【特許請求の範囲】
【請求項１】
無線通信によって通話を行うための通信回路と、
通信回路に電力を供給する充電池と、
充電池の電圧が予め定める限界電圧値以下になったことを検出する検出手段と、
回線の切断を指示する指示手段と、
検出手段によって充電池の電圧が予め定める限界電圧値以下になったことが通話中に検出された場合、および通話中に指示手段によって回線の切断が指示された場合に、充電池の電圧が予め定める限界電圧値以下になったために回線を切断することを予告するための予告情報を通信回路によって通話中の相手先に送信した後、通話中の回線を切断する切断制御手段とを含むことを特徴とする電話装置。
【請求項２】
前記予告情報は、電池切れによる回線の切断の予告を表す音声あるいは警告音を出力するための情報であることを特徴とする請求項１に記載の電話装置。
【請求項３】
前記指示手段は、回線の切断を指示するための専用の入力キーであることを特徴とする請求項１に記載の電話装置。
【請求項４】
無線通信するための第１の通信回路、第１の通信回路に電力を供給する充電池、充電池の電圧が予め定める限界電圧値以下になったことを検出する検出手段、および回線の切断を指示する指示手段を含み、第１の通信回路によって通話を行っている間に検出手段によって充電池の電圧が限界電圧値以下になったことが検出された場合、および第１の通信回路によって親機を介して通話を行っている間に指示手段によって回線の切断が指示された場合に、回線の切断を指示するための切断指示情報を第１の通信回路によって親機に送信する子機と、
子機と無線通信するための第２の通信回路および回線に接続して他の装置との通話を可能にする第３の通信回路を含み、第２の通信回路によって切断指示情報を子機から受信すると、子機の充電池の電圧が予め定める限界電圧値以下になったために回線を切断することを予告するための予告情報を通信回路によって通話中の相手先に送信した後、通話中の回線を切断する親機とを含むことを特徴とする電話装置。
【請求項５】
無線通信によって通話を行うための通信回路に電力を供給する充電池の電圧が、通話中に予め定める限界電圧値以下になると、充電池の電圧が限界電圧値以下になったために回線を切断することを予告するための予告情報を通話中の相手先に送信した後、通話中の回線を切断する電話装置に対して、回線の切断を指示すると、予告情報を通話中の相手先に送信した後、通話中の回線を切断することを特徴とする電話装置の回線切断方法。
【発明の詳細な説明】
【技術分野】
【０００１】
本発明は、回線に接続される電話装置およびその回線切断方法に関する。
【背景技術】
【０００２】
これまでに、コードレス電話装置および携帯電話などの電話装置で問題になる悪戯電話などの迷惑電話に対して、いくつかの対策が開示あるいは実施されている。
【０００３】
たとえば従来の技術として、通話中に所定のしきい値以上のレベルのノイズを含む受信信号が所定時間以上継続するとその通話を切断する機能を利用した無線電話機がある。この無線電話機は、使用者がキー入力操作を行うためのキーパッドと、所定のキー入力操作に応じて前記所定のしきい値以上のノイズを発生するノイズ発生回路と、そのノイズ発生回路によって発生されたノイズを送信信号中に挿入するノイズ挿入回路とを有し、使用者が通話を切断したいときに所定のキー操作を行えば、ノイズを送信し、相手の無線電話機がノイズを検出して通話を切断するものである（たとえば特許文献１参照）。
【０００４】
【特許文献１】特開平１１−２７５２１７号公報
【発明の開示】
【発明が解決しようとする課題】
【０００５】
しかしながら、上述した従来の技術は、使用者がキー入力操作を行うためのキーパッド以外に、ノイズ発生回路とノイズ挿入回路とを追加する必要があるという問題があり、コストがかかる。
【０００６】
本発明の目的は、既存の回路構成を大きく変えることなく、充電池の電圧低下による回線切断に見せかけて回線を切断することができる電話装置およびその回線切断方法を提供することである。
【課題を解決するための手段】
【０００７】
本発明は、無線通信によって通話を行うための通信回路と、
通信回路に電力を供給する充電池と、
充電池の電圧が予め定める限界電圧値以下になったことを検出する検出手段と、
回線の切断を指示する指示手段と、
検出手段によって充電池の電圧が予め定める限界電圧値以下になったことが通話中に検出された場合、および通話中に指示手段によって回線の切断が指示された場合に、充電池の電圧が予め定める限界電圧値以下になったために回線を切断することを予告するための予告情報を通信回路によって通話中の相手先に送信した後、通話中の回線を切断する切断制御手段とを含むことを特徴とする電話装置である。
【０００８】
本発明に従えば、通信回路によって、無線通信によって通話が行われ、充電池によって、通信回路に電力が供給され、検出手段によって、充電池の電圧が予め定める限界電圧値以下になったことが検出され、指示手段によって、回線の切断が指示され、切断制御手段によって、検出手段によって充電池の電圧が予め定める限界電圧値以下になったことが通話中に検出された場合、および通話中に指示手段によって回線の切断が指示された場合に、充電池の電圧が予め定める限界電圧値以下になったために回線を切断することを予告するための予告情報が通信回路によって通話中の相手先に送信された後、通話中の回線が切断される。
【０００９】
このように、通話中に指示手段によって回線の切断が指示されると、検出手段によって充電池の電圧が予め定める限界電圧値以下になったことを通話中に検出したときと同様に、充電池の電圧が予め定める限界電圧値以下になったために回線を切断することを予告するための予告情報を通信回路によって通話中の相手先に送信した後、通話中の回線を切断するので、指示手段を設けるだけで、既存の回路構成を大きく変えることなく、充電池の電圧低下による回線切断に見せかけて回線を切断することができる。
【００１０】
また本発明は、前記予告情報は、電池切れによる回線の切断の予告を表す音声あるいは警告音を出力するための情報であることを特徴とする。
【００１１】
本発明に従えば、予告情報は、電池切れによる回線の切断の予告を表す音声あるいは警告音を出力するための情報であるので、電池切れによる回線切断に見せかけた予告情報を音声あるいは警告音によって、通話の相手先である発信者に知らせることができる。
【００１２】
また本発明は、前記指示手段は、回線の切断を指示するための専用の入力キーであることを特徴とする。
【００１３】
本発明に従えば、指示手段が、回線の切断を指示するための専用の入力キーであるので、その専用の入力キーを操作するだけで、充電池の電圧低下による回線切断に見せかけて回線を切断することができる。
【００１４】
また本発明は、無線通信するための第１の通信回路、第１の通信回路に電力を供給する充電池、充電池の電圧が予め定める限界電圧値以下になったことを検出する検出手段、および回線の切断を指示する指示手段を含み、第１の通信回路によって通話を行っている間に検出手段によって充電池の電圧が限界電圧値以下になったことが検出された場合、および第１の通信回路によって親機を介して通話を行っている間に指示手段によって回線の切断が指示された場合に、回線の切断を指示するための切断指示情報を第１の通信回路によって親機に送信する子機と、
子機と無線通信するための第２の通信回路および回線に接続して他の装置との通話を可能にする第３の通信回路を含み、第２の通信回路によって切断指示情報を子機から受信すると、子機の充電池の電圧が予め定める限界電圧値以下になったために回線を切断することを予告するための予告情報を通信回路によって通話中の相手先に送信した後、通話中の回線を切断する親機とを含むことを特徴とする電話装置である。
【００１５】
本発明に従えば、子機では、第１の通信回路によって、無線通信され、充電池によって、第１の通信回路に電力が供給され、検出手段によって、充電池の電圧が予め定める限界電圧値以下になったことが検出され、指示手段によって、回線の切断が指示され、第１の通信回路によって通話を行っている間に検出手段によって充電池の電圧が限界電圧値以下になったことが検出された場合、および第１の通信回路によって親機を介して通話を行っている間に指示手段によって回線の切断が指示された場合に、回線の切断を指示するための切断指示情報が第１の通信回路によって親機に送信される。
【００１６】
さらに、親機では、第２の通信回路によって、子機と無線通信され、第３の通信回路によって、回線に接続して他の装置との通話が可能にされ、第２の通信回路によって切断指示情報を子機から受信すると、子機の充電池の電圧が予め定める限界電圧値以下になったために回線を切断することを予告するための予告情報が通信回路によって通話中の相手先に送信された後、通話中の回線が切断される。
【００１７】
このように、通話中に指示手段によって回線の切断が指示されると、子機は、検出手段によって充電池の電圧が予め定める限界電圧値以下になったことを通話中に検出したときと同様に、回線の切断を指示する切断指示情報を親機に送り、親機は、切断指示情報を受け取ると、子機の充電池の電圧が予め定める限界電圧値以下になったために回線を切断することを予告するための予告情報を通信回路によって通話中の相手先に送信した後、通話中の回線を切断するので、子機に指示手段を設けるだけで、親機および子機の既存の回路構成を大きく変えることなく、子機の充電池の電圧低下による回線切断に見せかけて回線を切断することができる。
【００１８】
また本発明は、無線通信によって通話を行うための通信回路に電力を供給する充電池の電圧が、通話中に予め定める限界電圧値以下になると、充電池の電圧が限界電圧値以下になったために回線を切断することを予告するための予告情報を通話中の相手先に送信した後、通話中の回線を切断する電話装置に対して、回線の切断を指示すると、予告情報を通話中の相手先に送信した後、通話中の回線を切断することを特徴とする電話装置の回線切断方法である。
【００１９】
本発明に従えば、回線の切断を指示すると、通話中に充電池の電圧が予め定める限界電圧値以下になったときと同様に、充電池の電圧が限界電圧値以下になったために回線を切断することを予告するための予告情報を通話中の相手先に送信した後、通話中の回線を切断するので、充電池の電圧低下による回線切断に見せかけて回線を切断することができる。
【発明の効果】
【００２０】
本発明によれば、指示手段が操作された場合も、通話が切断される前に、通話の相手先つまり発信者に、充電池の電圧が予め定める限界電圧値以下になったときと同じ予告情報が知らされるので、発信者は、電池切れで切断されたと認識し、その発信者を過剰に刺激することなくスマートに迷惑通話を切断することができる。すなわち、いたずらあるいはセールスなどの電話に対して、電池が切れたことによる回線断と見せかけることによって、その発信者を過剰に刺激することなくスマートに回線を切断することができる。
【００２１】
また本発明によれば、電池切れによる回線切断に見せかけた予告情報を音声あるいは警告音によって、通話の相手先である発信者に知らせることができるので、電池切れによる回線切断に見せかけた予告情報を、通話中に発信者に知らせることができる。
【００２２】
また本発明によれば、その専用の入力キーを操作するだけで、充電池の電圧低下による回線切断に見せかけて回線を切断することができるので、操作者は、簡単な操作で、電池の電圧低下による回線切断に見せかけて回線を切断することができる。
【００２３】
また本発明によれば、子機の指示手段を操作した場合も、通話の相手先つまり発信者に、通話が切断される前に、子機の充電池の電圧が予め定める限界電圧値以下になったときと同じ予告情報、たとえば「子機の電池切れ」による回線切断する旨の音声あるいは警告音などが知らされるので、発信者は、子機の電池切れで切断されたと認識し、その発信者を過剰に刺激することなくスマートに迷惑通話を切断することができる。
【００２４】
また本発明によれば、充電池の電圧低下による回線切断に見せかけて回線を切断することができるので、通話の相手先つまり発信者を過剰に刺激することなくスマートに迷惑通話を切断することができる。
【発明を実施するための最良の形態】
【００２５】
図１は、本発明の実施の一形態であるコードレス電話機１の構成を示すブロック図である。電話装置であるコードレス電話機１は、親機１０および子機２０を含んで構成される。図１には、子機２０を１台しか示していないが、子機２０は複数台であってもよい。
【００２６】
親機１０は、親機中央制御回路１１、親機無線送受信回路１２、親機キー入力部１３、親機表示部１４、回線制御回路１５、および音声発生回路１６を含む。親機中央制御回路１１は、たとえばＣＰＵ（Central Processing Unit）および半導体メモリなどのメモリを含んで構成され、ＣＰＵがメモリに記憶されたプログラムを実行することによって、親機無線送受信回路１２、親機キー入力部１３、親機表示部１４、回線制御回路１５、および音声発生回路１６を制御し、親機１０の動作を総合的に制御する。
【００２７】
親機無線送受信回路１２は、アンテナ１７を通して送受信号を無線で送受信する回路である。親機キー入力部１３は、使用者がキー入力操作を行うための複数のキーボタンを含んで構成される。親機表示部１４は、たとえば液晶パネルなどで構成され、使用者に報知するために親機１０の動作状態などの情報を表示する。回線制御回路１５は、公衆回線３０に接続され、通話のための回線をつないだり切断したりして制御し、回線を通じて音声などの信号を送受信する。音声発生回路１６は、留守録などで使用する音声などの音を発生させる回路である。
【００２８】
子機２０は、子機中央制御回路２１、子機無線送受信回路２２、子機キー入力部２３、子機表示部２４、マイク２５、スピーカ２６、図示しないバッテリ、および図示しない検出回路を含んで構成される。子機中央制御回路２１は、たとえばＣＰＵおよび半導体メモリなどのメモリを含んで構成され、ＣＰＵがメモリに記憶されたプログラムを実行することによって、子機無線送受信回路２２、子機キー入力部２３、子機表示部２４、マイク２５、およびスピーカ２６を制御し、子機２０の動作を総合的に制御する。
【００２９】
子機無線送受信回路２２は、アンテナ２７を通して送受信号を無線で送受信する回路である。子機キー入力部２３は、使用者がキー入力操作を行うための複数のキーボタンを含んで構成される。子機表示部２４は、たとえば液晶パネルなどで構成され、使用者に報知するために子機２０の動作状態などの情報を表示する。マイク２５は、使用者が音声を入力するためのマイクロホンである。スピーカ２６は、使用者に報知するための音声などの音を出力する。
【００３０】
図示しないバッテリは、子機中央制御回路２１、子機無線送受信回路２２、子機キー入力部２３、子機表示部２４、マイク２５、スピーカ２６、および図示しない検出回路に電力を供給する充電池であり、子機２０を充電台などにセットすることによって充電される。図示しない検出回路は、そのバッテリの電圧が予め定める限界電圧値以下であることを検出する回路である。検出回路は、通話中にバッテリの電圧が予め定める限界電圧値以下になったことを検出すると、その旨を子機中央制御回路２１に知らせる。子機中央制御回路２１は、バッテリの電圧が予め定める限界電圧値以下になったことを検出回路から知らされると、通話中の回線の切断を指示するための切断指示情報を、子機無線送受信回路２２によって親機１０に送信する。
【００３１】
親機中央制御回路１１は、親機無線送受信回路１２によって子機２０から切断指示情報を受信すると、バッテリの電圧が予め定める限界電圧値以下になったために回線を切断することを予告するための予告情報、たとえば「子機の電池切れ」による回線切断する旨の音声あるいは警告音を出力するための信号つまり情報を、回線制御回路１５によって回線を介して通話中の相手先に送信した後、通話中の回線を切断する。
【００３２】
図２は、図１に示した子機２０の外観を示す。子機表示部２４は、子機２０の上部に配置され、子機表示部２４の下に子機キー入力部２３が配置されている。子機キー入力部２３は、「０」〜「９」の数字ならびに「＊」および「＃」の記号の１２個のキーボタン、通話を開始するための「通」と示された通話キーボタン、通話を終了するための「切」と示された切断キーボタン、および「子機の電池切れ」による回線切断する旨の音声あるいは警告音を送信した後、通話中の回線を切断することを指示するための迷惑キー２８を含む。
【００３３】
図３は、図１に示したコードレス電話機１で迷惑キー２８を操作したときの通話の状態遷移を示す。最初、ある人物が電話機４０からコードレス電話機１に電話をかけ、コードレス電話機１の操作者が子機２０で通話キーボタンを操作すると、通話が始まる。操作者は、電話機４０からの電話が迷惑電話であると判断すると、迷惑キー２８を操作する。次に、迷惑キー２８が操作されると、コードレス電話機１は、コードレス電話機１から電話機４０へ、電池切れによって回線を切断する旨を伝える音声あるいは警告音、たとえば「子機の電池がなくなりました。」という音声を送信する。さらに、「子機の電池がなくなりました。」という音声を送信した後、所定の時間が経過すると、コードレス電話機１は、回線を切断する。
【００３４】
図１を参照して、子機中央制御回路２１は、迷惑キー２８が操作されたことを子機キー入力２３から知らされると、通話中の回線を切断するための切断指示情報を、子機無線送受信回路２２によって親機１０に送信する。親機中央制御回路１１は、親機無線送受信回路１２によって子機２０から切断指示情報を受信すると、バッテリの電圧が予め定める限界電圧値以下になったために回線を切断することを予告するための予告情報、たとえば「子機の電池切れ」による回線切断する旨の音声あるいは警告音の信号を、回線制御回路１５によって回線を介して通話中の相手先に送信した後、通話中の回線を切断する。
【００３５】
通信回路および第３の通信回路は、たとえば回線制御回路１５であり、充電池は、たとえば図示しないバッテリであり、検出手段は、たとえば図示しない検出回路であり、切断制御手段は、たとえば親機中央制御回路１１であり、指示手段は、たとえば迷惑キー２８であり、第１の通信回路は、たとえば子機無線送受信回路２２であり、第２の通信回路は、たとえば親機無線送受信回路１２である。
【００３６】
上述した実施の形態では、電話装置として、親機１０と子機２０とから構成されるコードレス電話機１について説明したが、電話装置は、親機１０と子機２０とが一体になった電話装置、たとえば携帯電話あるいはＰＨＳなど、電池によって電力が供給されて無線通信を行う電話装置であってもよい。
【００３７】
このように、通話中に指示手段たとえば迷惑キー２８によって回線の切断が指示されると、検出手段たとえば検出回路によって充電池たとえばバッテリの電圧が予め定める限界電圧値以下になったことを通話中に検出したときと同様に、充電池の電圧が予め定める限界電圧値以下になったために回線を切断することを予告するための予告情報を通信回路たとえば回線制御回路１５によって通話中の相手先に送信した後、通話中の回線を切断するので、指示手段を設けるだけで、既存の回路構成を大きく変えることなく、充電池の電圧低下による回線切断に見せかけて回線を切断することができる。したがって、通話が切断される前に、通話の相手先つまり発信者に、充電池の電圧が予め定める限界電圧値以下になったときと同じ予告情報が知らされるので、発信者は、電池切れで切断されたと認識し、その発信者を過剰に刺激することなくスマートに迷惑通話を切断することができる。すなわち、いたずらあるいはセールスなどの電話に対して、電池が切れたことによる回線断と見せかけることによって、その発信者を過剰に刺激することなくスマートに回線を切断することができる。
【００３８】
さらに、予告情報は、電池切れによる回線の切断の予告を表す音声あるいは警告音を出力するための情報であるので、電池切れによる回線切断に見せかけた予告情報を音声あるいは警告音によって、通話の相手先である発信者に知らせることができる。したがって、電池切れによる回線切断に見せかけた予告情報を、通話中に発信者に知らせることができる。
【００３９】
さらにまた、指示手段が、回線の切断を指示するための専用の入力キーたとえば迷惑キー２８であるので、その専用の入力キーを操作するだけで、充電池たとえばバッテリの電圧低下による回線切断に見せかけて回線を切断することができる。したがって、操作者は、簡単な操作で、電池の電圧低下による回線切断に見せかけて回線を切断することができる。
【００４０】
さらに、通話中に指示手段たとえば迷惑キー２８によって回線の切断が指示されると、子機２０は、検出手段たとえば検出回路によって充電池たとえばバッテリの電圧が予め定める限界電圧値以下になったことを通話中に検出したときと同様に、通話中の回線の切断を指示する切断指示情報を親機１０に送り、親機１０は、切断指示情報を受け取ると、子機２０の充電池の電圧が予め定める限界電圧値以下になったために回線を切断することを予告するための予告情報を、通信回路たとえば回線制御回路１５によって通話中の相手先に送信した後、通話中の回線を切断するので、子機２０に指示手段を設けるだけで、親機１０および子機２０の既存の回路構成を大きく変えることなく、子機２０の充電池の電圧低下による回線切断に見せかけて回線を切断することができる。したがって、通話の相手先つまり発信者に、通話が切断される前に、子機の充電池の電圧が予め定める限界電圧値以下になったときと同じ予告情報、たとえば「子機の電池切れ」による回線切断する旨の音声あるいは警告音などが知らされるので、発信者は、子機の電池切れで切断されたと認識し、その発信者を過剰に刺激することなくスマートに迷惑通話を切断することができる。すなわち、いたずらあるいはセールスなどの電話に対して、電話装置の子機の電池が切れたことによる回線断と見せかけることによって、その発信者を過剰に刺激することなくスマートに回線を切断することができる。
【００４１】
図４は、本発明の実施の他の形態であるコードレス電話器１の回線切断方法を示すフローチャートである。コードレス電話機１での通話が始まるとステップＳ１に移る。
【００４２】
ステップＳ１では、バッテリの電圧が予め定める限界電圧値以下になったか否かを判断する。バッテリの電圧が予め定める限界電圧値以下になった場合、ステップＳ５へ進み、バッテリの電圧が予め定める限界電圧値以下になっていない場合、ステップＳ２へ進む。ステップＳ２では、迷惑キー２８が操作されたか否かを判断する。迷惑キー２８が操作された場合、ステップＳ５へ進み、迷惑キー２８が操作されていない場合、ステップＳ３へ進む。ステップＳ３では、切断キーが操作されたか否かを判断する。切断キーが操作されていない場合、ステップＳ１へ戻り、切断キーが操作された場合、ステップＳ４へ進む。
【００４３】
ステップＳ４では、回線を切断して終了する。ステップＳ５では、「子機の電池切れ」による回線切断する旨の音声あるいは警告音、たとえば「子機の電池がなくなりました。」という音声を送信して、ステップＳ４へ進む。
【００４４】
このように、回線の切断を指示すると、通話中に充電池たとえばバッテリの電圧が予め定める限界電圧値以下になったときと同様に、充電池の電圧が限界電圧値以下になったために回線を切断することを予告するための予告情報を通話中の相手先に送信した後、通話中の回線を切断するので、充電池の電圧低下による回線切断に見せかけて回線を切断することができる。したがって、通話の相手先つまり発信者を過剰に刺激することなくスマートに迷惑通話を切断することができる。
【図面の簡単な説明】
【００４５】
【図１】本発明の実施の一形態であるコードレス電話機１の構成を示すブロック図である。
【図２】図１に示した子機２０の外観を示す。
【図３】図１に示したコードレス電話機１で迷惑キー２８を操作したときの通話の状態遷移を示す。
【図４】本発明の実施の他の形態であるコードレス電話器１の回線切断方法を示すフローチャートである。
【符号の説明】
【００４６】
１  コードレス電話機
１０  親機
１１  親機中央制御回路
１２  親機無線送受信回路
１３  親機キー入力部
１４  親機表示部
１５  回線制御回路
１６  音声発生回路
１７，２７  アンテナ
２０  子機
２１  子機中央制御回路
２２  子機無線送受信回路
２３  子機キー入力部
２４  子機表示部
２５  マイク
２６  スピーカ
２８  迷惑キー
３０  公衆回線
４０  電話機
【図１】
2007281624.tif 000003
【図２】
2007281624.tif 000004
【図３】
2007281624.tif 000005
【図４】
2007281624.tif 000006